(57)【特許請求の範囲】
【請求項１】
透孔と鋸状の送り部材とを有し、水平面に対して傾斜して配置された複数の短冊状の揺動体と、
上記複数の揺動体を揺動可能に支持する揺動支持部と、
上記揺動支持部に駆動力を入力し、上記複数の揺動体を互いに位相差を与えて揺動駆動する駆動部と、
上記揺動体の上側に後方から前方に向かって空気を供給する送風部と、
上記揺動体を収容し、上記揺動体の上方に位置する被選別物の投入口と、上記揺動体の中央部の下方に位置する小径物排出口と、上記揺動体の後側部分の下方に位置する重量物排出口と、上記揺動体の前側部分の下方に位置する軽量物排出口と、上記揺動体の前側部分の上方に位置する排気口とを有するケーシングと、
上記揺動支持部に向かって空気を吹き出す空気吹出部と
を備えることを特徴とする揺動選別機。
【請求項２】
請求項１に記載の揺動選別機において、
上記空気吹出部が、上記揺動体の前側部分を支持する前側揺動支持部の後側から前側に向かって空気を吹き出すことを特徴とする動選別機。
【請求項３】
請求項１に記載の揺動選別機において、
上記揺動支持部は、上記揺動体に連結された偏心環体と、この偏心環体の内側に配置され、偏心回転するに伴って上記偏心環体を旋回偏心駆動する偏心回転体と、この偏心回転体に連結された駆動軸とを有し、
上記空気吹出部は、送風機と、この送風機から吹き出された空気を導く送風管と、この送風管に接続され、上記揺動支持部の駆動軸と平行に配置された空気分配管と、この空気分配管に設けられた空気の吹出口とを有することを特徴とする揺動選別機。
【請求項４】
請求項１に記載の揺動選別機において、
上記ケーシングの前端部の内側面が、上向きに傾斜していることを特徴とする揺動選別機。
【請求項５】
請求項１に記載の揺動選別機において、
上記ケーシング内の上記揺動支持部の前方に、邪魔板を備えることを特徴とする揺動選別機。
【請求項６】
請求項１に記載の揺動選別機において、
上記揺動体が、前端縁から下方に延びる垂下部材を有することを特徴とする揺動選別機。
【発明の詳細な説明】
【技術分野】
【０００１】
本発明は、傾斜して揺動駆動される揺動体により被選別物を小径物と軽量物と重量物に選別する選別機に関する。
【背景技術】
【０００２】
従来より、廃棄物に含まれる廃プラスチック類や紙類を再生資源として利用するため、廃棄物の分別に関する種々の技術が開発されている。廃棄物から廃プラスチック類や紙類を選別する選別機として、本出願人は、被選別物の反発性の違いを利用した揺動選別機を提案している（特許文献１参照）。
【０００３】
図１１は、特許文献１に係る揺動選別機５０１を示す模式図である。この揺動選別機５０１は、前端部分が後端部分よりも上側に位置するように傾けて配置されたケーシング５０２と、このケーシング５０２内にケーシング５０２と共に傾斜して配列された複数の揺動体５０３を備える。上記複数の揺動体５０３は、前側部分が前側偏心軸受ユニット５０４で支持され、後側部分が後側偏心軸受ユニット５０５で支持されている。後側偏心軸受ユニット５０５に連結された駆動軸が回転駆動されると、後側偏心軸受ユニット５０５が偏心回転すると共に、前側偏心軸受ユニット５０４が従動して偏心回転し、これにより揺動体５０３が揺動する。
【０００４】
廃棄物は、矢印Ｅで示すように、ケーシング５０２の上部の投入口５２１から投入され、揺動する揺動体５０３に受け取られ、この揺動体５０３の動作によって選別される。すなわち、廃棄物のうちの小径物は、揺動体５０３に設けられた孔を透過して落下する。廃棄物のうちの反発性の大きい重量物は、重力によって揺動体５０３上を後方に移動し、揺動体５０３の後端から落下する。廃棄物のうちの反発性の小さい軽量物は、揺動体５０３の揺動に伴う送り動作で前方に移動し、揺動体５０３の前端から落下する。こうして選別された小径物９２は、矢印Ｆで示すように、ケーシング５０２の下部の中央の小径物排出口５２２から排出される。重量物９３は、矢印Ｇで示すように、ケーシング５０２の下部の後側の重量物排出口５２３から排出される。軽量物９４は、矢印Ｈで示すように、ケーシング５０２の下部の前側の軽量物排出口５２４から排出される。
【０００５】
上記ケーシング５０２の後端面には、軽量物９４の選別を促進するための送風部５０６が設置されている。この送風部５０６は、図示しない送風機から供給された空気を前側に向かって吹き出し、上記揺動体５０３の上側面の近傍に、この揺動体５０３と平行の空気流を形成する。ケーシング５０２の前側に達した空気流は、ケーシング５０２の前側の上部に設けられた排気口５２５から排出される。この空気流で軽量物９４の移動を促進し、揺動体５０３による軽量物９４の送り動作を補助して、軽量物９４の選別を促進している。
【先行技術文献】
【特許文献】
【０００６】
【特許文献１】特開２０１１−０８８１１４号公報
【発明の概要】
【発明が解決しようとする課題】
【０００７】
しかしながら、上記従来の揺動選別機は、送風部５０６から吹き出された空気の一部が、揺動体５０３の上側から下側に流れ、この空気によって矢印Ｋで示すように搬送された軽量物９４や塵が、揺動体５０３の下側に位置する前側偏心軸受ユニット５０４に付着する不都合がある。前側偏心軸受ユニット５０４への軽量物９４や塵の付着量が増大すると、前側偏心軸受ユニット５０４の動作に異常が生じ、最悪の場合、揺動選別機の選別動作が停止する恐れがある。
【０００８】
そこで、本発明の課題は、揺動体の駆動機構に軽量物や塵が付着する不都合を防止でき、選別動作を安定して行うことができる揺動選別機を提供することにある。
【課題を解決するための手段】
【０００９】
上記課題を解決するため、本発明の揺動選別機は、透孔と鋸状の送り部材とを有し、水平面に対して傾斜して配置された複数の短冊状の揺動体と、
上記複数の揺動体を揺動可能に支持する揺動支持部と、
上記揺動支持部に駆動力を入力し、上記複数の揺動体を互いに位相差を与えて揺動駆動する駆動部と、
上記揺動体の上側に後方から前方に向かって空気を供給する送風部と、
上記揺動体を収容し、上記揺動体の上方に位置する被選別物の投入口と、上記揺動体の中央部の下方に位置する小径物排出口と、上記揺動体の後側部分の下方に位置する重量物排出口と、上記揺動体の前側部分の下方に位置する軽量物排出口と、上記揺動体の前側部分の上方に位置する排気口とを有するケーシングと、
上記揺動支持部に向かって空気を吹き出す空気吹出部と
を備えることを特徴としている。
【００１０】
上記構成によれば、例えば廃棄物等の被選別物が、ケーシングの投入口から投入され、複数の揺動体上に受け取られる。被選別物は、駆動部により互いに位相差が与えられて揺動駆動される揺動体の作用により、小径物と重量物と軽量物に分けられる。詳しくは、被選別物のうちの小径物は、揺動体の透孔を通過して落下し、小径物排出口からケーシングの外に排出される。被選別物のうちの重量物は、揺動体上を重力によって後方に移動し、揺動体の後端から落下し、重量物排出口からケーシングの外に排出される。被選別物のうちの軽量物は、揺動体の送り部材によって揺動体上を前方に送られると共に、送風部で供給される空気により、前方への移動が促進される。上記揺動体上を移動した軽量物は、揺動体の前端から落下し、軽量物排出口からケーシングの外に排出される。上記送風部から供給された空気は、揺動体上の軽量物の移動を促進した後、その一部が揺動体の上側から下側に流れ、この一部の空気によって、軽量物や塵が搬送される。ここで、空気吹出部により、揺動体を揺動可能に支持する揺動支持部に向かって空気が吹き出されるので、上記揺動体の下側に流れた空気で搬送された軽量物や塵が、揺動支持部に付着する不都合を効果的に防止できる。したがって、揺動支持部の動作に異常が生じる不都合を防止でき、揺動選別機の選別動作を安定にできる。ここで、本発明において、揺動体の動作によって軽量物が送られる方向を前方向とし、重量物が移動する方向を後ろ方向とする。
【００１１】
一実施形態の揺動選別機は、上記空気吹出部が、上記揺動支持部の後側から前側に向かって空気を吹き出す。
【００１２】
上記実施形態によれば、揺動支持部の後側に配置された空気吹出部から、前側の揺動支持部に向かって空気が吹き出される。これにより、送風部から吹き出された後、揺動体の上側から下側へ流れる空気によって搬送された軽量物や塵が、揺動支持部に接近することが効果的に防止される。したがって、揺動支持部に軽量物や塵が付着する不都合を、効果的に防止できる。
【００１３】
一実施形態の揺動選別機は、上記揺動支持部は、上記揺動体に連結された偏心環体と、この偏心環体の内側に配置され、偏心回転するに伴って上記偏心環体を旋回偏心駆動する偏心回転体と、この偏心回転体に連結された駆動軸とを有し、
上記空気吹出部は、送風機と、この送風機から吹き出された空気を導く送風管と、この送風管に接続され、上記揺動支持部の駆動軸と平行に配置された空気分配管と、この空気分配管に設けられた空気の吹出口とを有する。
【００１４】
上記実施形態によれば、揺動支持部の駆動軸が駆動部によって回転駆動され、偏心回転体が偏心回転し、これに伴って偏心環体が旋回偏心駆動される。これにより、偏心環体に連結された揺動体が、駆動軸方向視において円軌道を描くように揺動駆動される。一方、空気吹出部は、送風機で生成された空気流が、送風管を通って空気分配管へ導かれ、空気分配管の吹出口から空気が揺動支持部に向かって吹き出される。こうして空気吹出部の吹出口から吹き出された空気により、揺動支持部の偏心環体、偏心回転体及び駆動軸に軽量物や塵が付着する不都合を、効果的に防止できる。なお、上記送風機は、揺動体の上面側に空気流を形成する送風部の送風機と兼用してもよい。
【００１５】
一実施形態の揺動選別機は、上記ケーシングの前端部の内側面が、上向きに傾斜している。
【００１６】
上記実施形態によれば、送風部から供給された空気が、揺動体上の軽量物の移動を促進した後、ケーシングの前端部に達する。このケーシングの前端部が有する内側面が、上向きに傾斜しているので、送風部からの空気の流れが上記内側面によって上向きに変更される。これにより、ケーシング内から、揺動体の前側部分の上方に位置する排気口へ、空気が効果的に導かれるので、揺動体の上側から下側へ流れる空気の量を効果的に抑制できる。したがって、揺動体の上側から下側へ流れる空気によって搬送される軽量物や塵の量を、効果的に削減できるので、軽量物や塵が揺動支持部に付着する不都合を効果的に防止できる。
【００１７】
一実施形態の揺動選別機は、上記ケーシング内の上記揺動支持部の前方に、邪魔板を備える。
【００１８】
上記実施形態によれば、揺動体の上側から下側に流れる空気により搬送された軽量物や塵が、邪魔板によって、揺動支持部の側に搬送されることが防止される。したがって、軽量物や塵が揺動支持部に付着する不都合を、効果的に防止できる。ここで、上記邪魔板は、上記揺動体の下側に、ケーシングの幅方向に延在するように配置された板状体で形成されるのが好ましい。
【００１９】
一実施形態の揺動選別機は、上記揺動体が、前端縁から下方に延びる垂下部材を有する。
【００２０】
上記実施形態によれば、揺動体の前端から落下する軽量物や塵が垂下部材によって下方に導かれるので、ケーシング内の空気流が揺動体の下側に流れても、この空気によって軽量物や塵が揺動支持部の側に搬送されることが防止される。したがって、軽量物が揺動支持部に付着する不都合を、効果的に防止できる。ここで、上記垂下部材は、剛な金属や樹脂で形成された板状体で形成することができる。また、剛な板状体と、この剛な板状体の下端に連結されてゴム等で形成された柔な板状体とで、垂下部材を形成することができる。また、柔な板状体のみで垂下部材を形成してもよい。
【図面の簡単な説明】
【００２１】
【図１】本発明の実施形態の揺動選別機を示す縦断面図である。
【図２】揺動選別機の平面図である。
【図３】揺動選別機の平断面図である。
【図４】揺動選別機の横断面図である。
【図５】揺動体の前側部分及び偏心軸受ユニットを示す斜視図である。
【図６】揺動体の後側部分及び偏心軸受ユニットを示す部分断面図である。
【図７】図６中のＩ−Ｉ線に沿った断面図である。
【図８】空気吹出部の空気分配管を示す断面図である。
【図９】空気吹出部の空気分配管及び送風管を示す平面図である。
【図１０】他の実施形態の揺動選別機を示す部分縦断面図である。
【図１１】従来の揺動選別機を示す縦断面図である。
【発明を実施するための形態】
【００２２】
以下、本発明を図示の実施の形態により詳細に説明する。
【００２３】
本発明の実施形態の揺動選別機は、廃棄物の処理工程において、事前に粗砕されて大きさ及び重量の異なるものを含んで構成された被選別物を、小径物、重量物及び軽量物の３種に選別して排出するものである。このような被選別物としては、複数の種別の廃棄物が混合している混合廃棄物があり、混合廃棄物の例として、木材及び壁紙等の可燃物とコンクリート及びガラス等の不燃物が混在する建設系廃棄物が挙げられる。また、混合廃棄物の例として、食品容器及びレジ袋等の廃プラスチックや古紙等や食品残渣等の可燃物と、小型電化製品等の不燃物が混在した一般廃棄物が挙げられる。
【００２４】
図１は、実施形態の揺動選別機を示す縦断面図であり、図２は、揺動選別機の平面図であり、図３は、揺動選別機の平断面図であり、図４は、揺動選別機の横断面図である。本実施形態の揺動選別機１は、前側が後側よりも上方に位置するように傾斜して支持された大略箱状のケーシング２と、このケーシング２内に配列された複数の短冊状の揺動体３，３，３，・・・を備える。
【００２５】
ケーシング２は、前端部２８の外側面が下方に向けて傾斜した逆台形状断面を有する本体部２ａと、この本体部２ａの前側部分から上方に突出した突出部２ｂを有する。ケーシング２の本体部２ａには、上面の長手方向の中央部に設けられた投入口２１と、下面の長手方向の中央部に設けられた小径物排出口２２と、下面の後側部に設けられた重量物排出口２３と、下面の前側部分に設けられた軽量物排出口２４を有する。突出部２ｂは、下部が箱状に形成され、上部が上方に向かうにつれて平断面が縮小すると共に、縦断面において前方寄りに傾斜した逆漏斗形状を有する。この突出部２ｂの上端面に、ケーシング２内の空気を排出する排気口２５が設けられている。ケーシング２の前端部２８の内側面は、後述する第１送風部６や第２送風部７からの空気が排気口２５の方向に流れるように、法線が揺動体３の延在する面よりも上方を向くように傾斜している。すなわち、ケーシング２の前端部２８の内側面が、少なくとも第１送風部６の吹き出しノズル６３から揺動体３と平行の延長上の位置と、第２送風部７の吹き出しノズル７３から揺動体３と平行の延長上の位置において、法線が揺動体３の延長面に関して上方を向くように傾斜している。
【００２６】
ケーシング２の後端部２７には、前側に向かって空気流を形成する第１送風部６が設けられている。また、ケーシング２の本体部２ａの上部には、ケーシング２内の投入口２１の近傍に、投入口２１の後側から前側に向かって空気流を形成する第２送風部７が設けられている。また、ケーシング２内の前側部分に、揺動体３の前側部分と排気口２５の間に位置するように、フィルタ９が配置されている。
【００２７】
ケーシング２内の複数の揺動体３の各々は、前側部分が、揺動支持部としての前側偏心軸受ユニット４で支持され、後側部分が、揺動支持部としての後側偏心軸受ユニット５で支持されている。各揺動体３は、互いに平行に配置されており、前端が後端よりも高く位置するように傾斜している。ここで、本発明において、揺動体３の動作によって軽量物９４が送られる方向を前方向とし、重量物９３が移動する方向を後ろ方向とする。
【００２８】
図５は、揺動体３の前側部分と前側偏心軸受ユニット４を示す斜視図である。揺動体３は、複数の透孔３１ａが設けられた細長の矩形の篩板３１と、この篩板３１の両側の縁に沿って立設された鋸状の送り部材３２と、篩板３１の表面に幅方向に延在して立設された幅方向板３３を有する。
【００２９】
篩板３１は、板材で形成され、前側偏心軸受ユニット４と後側偏心軸受ユニット５の間の部分に透孔３１ａが設けられている。透孔３１ａは、選別すべき小径物９２の寸法に対応した寸法に形成され、円形又は多角形状に打ち抜かれて形成されている。篩板３１は、揺動体３が揺動駆動されることにより、透孔３１ａに、投入口２１から投入された被選別物９１に含まれる土砂、釘、ネジ、残飯及び茶殻等の小径物９２を通過させ、揺動体３の下方に落下させる。また、篩板３１は、揺動体３が揺動駆動されることにより、陶器片、金属片、金物、缶、ペットボトル、ガラスビン、ブロック、コンクリート片、石及び靴等の重量物９３を、表面で転動又は滑動させて、傾斜方向の下方向、すなわち揺動体３の後方に移動させる。このように、揺動体３の傾斜方向の下側に移動する重量物９３は、主に、金属や石や硬質プラスチック等の反発性の高いものである。なお、篩板３１は、前側偏心軸受ユニット４と後側偏心軸受ユニット５の間の部分を、メッシュで形成して透孔３１ａと同様の小径物９２の選別機能を実現してもよい。篩板３１は、下面の両側に配置され、長手方向に延在する桁部材３５と、下面側の桁部材３５の間に設けられた溝型部材３８とで補強されている。
【００３０】
揺動体３の送り部材３２は、アングル材で形成され、一方のフランジに、前側斜辺３２ａと後側斜辺３２ｂで形成された鋸歯を形成したものである。送り部材３２は、篩板３１の縁に沿って他方のフランジが固定されて、篩板３１に取り付けられている。送り部材３２の鋸歯の前側斜辺３２ａは、後側斜辺３２ｂよりも篩板３１に対して急角度を成すように形成されている。この送り部材３２は、揺動体３が揺動駆動されることにより、投入口２１から投入された被選別物９１に含まれる繊維屑、紙、木片、プラスチックトレイ、プラスチックフィルム、プラスチックシート等の軽量物９４を、前側斜辺３２ａで接する一方、後側斜辺３２ｂで滑らせることにより、揺動体３上を傾斜方向の上側に送る送り動作を行う。このように揺動体３の傾斜方向の上側、すなわち、前側に送られる軽量物９４は、反発性の低いものである。なお、送り部材３２や鋸歯の数を増やすと、軽量物９４の選別量が多くなり、また、送り部材３２や鋸歯の数を減らすと、重量物９３の選別量が多くなる。ここで、送り部材は、篩板３１の縁に延在方向に立設される板材で形成される以外に、篩板３１を、側面視において水平面に対して急角度部分と緩角度部分とが交互に連なるように屈曲させて形成してもよい。すなわち、篩板３１が送り部材を兼ねてもよい。また、送り部材は、篩板３１の縁に延在方向に立設される板材で形成される以外に、篩板３１の表面に千鳥状に配置され、後側斜辺と、この後側斜辺よりも篩板３１に対して急角度を成す前側斜辺とを有する三角形状の鋸歯で形成してもよい。
【００３１】
幅方向板３３は、アングル材で形成され、篩板３１の表面に一方のフランジが固定されて、他方のフランジが篩板３１の表面に直角に立設して幅方向に延在している。幅方向板３３により、送り部材３２で前側に送られる軽量物９４が、篩板３１の表面を滑って後方に移動することを防止すると共に、軽量物９４の前方への搬送を補助している。
【００３２】
ケーシング２内に配置された複数の揺動体３のうち、幅方向の両端に位置する揺動体３は、ケーシング２の内側面に隣接する側の縁に沿って側壁３４が設けられている。側壁３４は、板状体で形成され、揺動体３の幅方向の両側に設けられた２つの送り部材３２のうちの一方に、この送り部材３２の篩板３１と直角に延在するフランジに重ねて固定されている。側壁３４の高さは、篩板３１の幅の０．５〜２倍に設定することができる。好ましくは、側壁３４の高さは、篩板３１の幅の０．７〜１．５倍である。なお、揺動体３に側壁３４を固定する固定部材として、送り部材３２以外のアングル材を用いてもよい。幅方向の両端の揺動体３に設けられた側壁３４により、揺動する揺動体３とケーシング２の内側面との間に被選別物が挟まれる問題や、揺動体３とケーシング２の内側面との隙間を通って被選別物が落下する問題を防止できる。
【００３３】
図６は、揺動体３の後側部分と後側偏心軸受ユニット５を示す部分断面図であり、図７は、揺動体３と後側偏心軸受ユニット５を示す横断面図である。図７は、図６中のＩ−Ｉ線に沿った断面図である。なお、図６では、揺動体３が水平に描かれているが、ケーシング２内では、図１に示すように傾斜した状態に保持される。揺動体３を支持する前側偏心軸受ユニット４と後側偏心軸受ユニット５は、揺動体３の傾斜角度を保持したまま、側面視において揺動体３が円軌道を描くように揺動駆動する。前側偏心軸受ユニット４と後側偏心軸受ユニット５は、互いに実質的に同じ構成を有する。後側偏心軸受ユニット５は駆動軸１５に連結され、駆動軸１５から入力された回転力により偏心回転する。一方、前側偏心軸受ユニット４は従動軸１４に連結され、揺動体３を介して伝達された力により、従動軸１４回りに従動偏心回転する。
【００３４】
後側偏心軸受ユニット５は、図６及び７に示すように、駆動軸１５に固定された円盤状の偏心板５１と、偏心板５１の外周を取り囲む短円筒形状の偏心旋回部材５２と、偏心板５１と偏心旋回部材５２との間に介在された転がり軸受５４とを含んで形成されている。偏心板５１は、その中心から外周側に偏った位置で貫通する駆動軸１５に対して固定されている。偏心旋回部材５２は、揺動体３の下面側に設けられた溝型部材３８に固定されている。転がり軸受５４は、偏心板５１の外周面に固定された内輪５５と、偏心旋回部材５２の内周面に固定された外輪５７と、内輪５５と外輪５７との間に介在された複数の転動体５６とを含んで形成されている。転動体５６は、玉で形成されている。この転がり軸受５４により、偏心板５１が回転するに伴って偏心旋回部材５２が公転するように形成されている。図７に示すように、後側偏心軸受ユニット５の転がり軸受５４には、駆動軸１５の長さ方向に沿って、転動体５６が２列配列されている。なお、本実施形態では、玉を転動体とする転がり軸受５４を設けたが、円筒ころや円錐ころを転動体とする転がり軸受を設けてもよい。また、前側偏心軸受ユニット４は、後側偏心軸受ユニット５と同様に、従動軸１４に固定された円盤状の偏心板と、偏心板の外周を取り囲む短円筒形状の偏心旋回部材と、偏心板と偏心旋回部材との間に介在された転がり軸受とを含んで形成されている。後側偏心軸受ユニット５と同様に、前側偏心軸受ユニット４の偏心旋回部材は、揺動体３の下面側に設けられた溝型部材３８に固定されている。
【００３５】
上記後側偏心軸受ユニット５に連結された駆動軸１５と、上記前側偏心軸受ユニット４に連結された従動軸１４は、直線状の軸部材からなり、揺動選別機１の幅方向、すなわち、揺動体３の長手方向と直角の方向に延びるように支持されている。従動軸１４と駆動軸１５は、図４の横断面図に示すように、複数の軸受支持部材１３によって、長さ方向の複数位置で支持されている。従動軸１４を支持する軸受支持部材１３は、ケーシング２の前側下部の幅方向に延在する前側支持梁４１に支持されている。駆動軸１５を支持する軸受支持部材１３は、ケーシング２の後側下部の幅方向に延在する後側支持梁４５に支持されている。駆動軸１５は、その両端が、カップリング装置１２と減速装置１０を介して駆動モータ１１に連結されている。カップリング装置１２と減速装置１０と駆動モータ１１は、ケーシング２の後側支持梁４５によって支持されており、後述のように、ケーシング２の傾斜角度が調整されるに伴って、ケーシング２と共に移動するように形成されている。駆動軸１５と、カップリング装置１２と、減速装置１０と、駆動モータ１１により、揺動支持部である後側偏心軸受ユニット５に駆動力を入力する駆動部を構成している。なお、カップリング装置１２と減速装置１０と駆動モータ１１は、後側支持梁４５以外の部材により、ケーシング２に取り付けられてもよい。
【００３６】
複数の揺動体３の下面側に配設された複数の後側偏心軸受ユニット５の偏心板５１は、共通の駆動軸１５に固定されている。前述した後側偏心軸受ユニット５の構成により、駆動軸１５が回転駆動されると偏心板５１が軸周りに偏心回転し、これ伴って偏心旋回部材５２が駆動軸１５を中心に偏心旋回する。また、駆動軸１５からの回転力が、揺動体３を介して前側偏心軸受ユニット４に伝達され、この前側偏心軸受ユニット４の偏心板が従動軸１４の回りを偏心回転すると共に、偏心旋回部材が従動軸１４の回りを公転する。これにより、偏心旋回部材５２に連結された揺動体３が、傾斜角度を保った状態で、駆動軸１５方向視において円軌道を描くように、上下前後に揺動する。図６では、揺動体３の揺動に際して、ほぼ最上点に位置する送り部材３２、揺動体３及び後側偏心軸受ユニット５が実線で示すと共に、ほぼ最下点に位置するそれらの構成を仮想線（一点鎖線）で示している。
【００３７】
駆動軸１５が回転駆動されると、全ての揺動体３が、それぞれに配設された後側偏心軸受ユニット５を介して駆動され、一斉に揺動する。本実施形態では、各揺動体３は、隣接する揺動体３に対して１８０°の位相差を有するように設定されている。したがって、図４に示すように、ある揺動体３が最上点に位置するときには、それに隣接する揺動体３が最下点に位置する。このように、前側偏心軸受ユニット４、後側偏心軸受ユニット５、従動軸１４、駆動軸１５、モータ１１、減速装置１０及びカップリング装置１２により、複数の揺動体３を、位相差を付与して駆動する駆動部を構成している。
【００３８】
直線状の従動軸１４と駆動軸１５は、クランク軸と比べて、長さ寸法が大きく設定された場合にも、耐荷重性及び回転バランスを安定して確保することができる。つまり、並列配置された揺動体３が、前側偏心軸受ユニット４を介して直線状の従動軸１４と、後側偏心軸受ユニット５を介して直線状の駆動軸１５により支持される構成によれば、耐荷重性及び回転バランスを確保しつつ従動軸１４と駆動軸１５を長くして、揺動体３の数を増やすことができ、ひいては、揺動選別機１の処理能力を向上させることができる。それにより、例えば重量物９３の大量処理も可能となる。加えて、揺動体３の数を増やした場合にも、耐荷重性及び回転バランスが確保されるため、振動や騒音の増大を抑制することができる。
【００３９】
また、本実施形態では、従動軸１４と駆動軸１５は、複数の軸受支持部材１３により、長さ方向の複数位置で支持されているが、従動軸１４と駆動軸１５が直線状であるため、軸受支持部材１３は、前側偏心軸受ユニット４又は後側偏心軸受ユニット５と干渉しない限りで、従動軸１４と駆動軸１５の長さ方向において任意の位置に配置することが可能である。これにより、従動軸１４及び駆動軸１５の耐荷重性及び回転バランスを比較的簡単に向上させることができる。
【００４０】
上記揺動体３を支持する従動軸１４と駆動軸１５は、軸受支持部材１３を介して、ケーシング２の前側下部の前側支持梁４１と、ケーシング２の後側下部の後側支持梁４５に支持されている。上記従動軸１４を支持する軸受支持部材１３が取り付けられた前側支持梁４１は、ヒンジ４２を介して前側支柱４３で支持されている。上記駆動軸１５を支持する軸受支持部材１３が取り付けられた後側支持梁４５は、ヒンジ４６を介して後側支柱４７で支持されている。前側支柱４３は後側支柱４７よりも上端の位置が高く設定されて、前側支持梁４１が後側支持梁４５よりも上方に配置されている。これにより、ケーシング２と複数の揺動体３が、水平面に対して傾斜している。前側支柱４３には、油圧シリンダや電動シリンダ等のアクチュエータが内蔵されており、このアクチュエータを伸縮することにより、前側支柱４３の上端に設けられたヒンジ４２の高さが調整可能になっている。これにより、ケーシング２の前側支持梁４１の後側支持梁４５に対する高さが調節可能になっており、ケーシング２と揺動体３の傾斜角度が調節可能になっている。
【００４１】
第１送風部６は、ケーシング２の後端部２７に設けられ、揺動駆動される揺動体３の表面の近傍に、後方から前方に向かう空気流を形成し、揺動体３による軽量物９４の送り動作を補助するものである。この第１送風部６は、図示しない送風機に接続された円形断面の送風管６１と、この送風管６１に接続されていると共にケーシング２を貫通し、下流に向かうにつれて幅が拡大して断面が矩形に形成された接続ダクト６２と、この接続ダクト６２の先端に設けられ、幅方向に延びる細長の矩形状の開口を有する吹き出しノズル６３を含んで形成されている。第１送風部６は、ケーシング２の後端部２７の幅方向に２つ配置されている。図１に示すように、この第１送風部６から矢印Ａ１で示すように吹き出した風は、矢印Ｂ１で示すように、揺動体３の表面の近傍を、この揺動体３と略平行に流れる。
【００４２】
第２送風部７は、ケーシング２の本体部２ａの上部に設けられ、ケーシング２内の投入口２１の近傍に、投入口２１の後側から前側に向かって空気流を形成し、この投入口２１から投入される被選別物９１を解すものである。この第２送風部７は、図示しない送風機に接続された円形断面の送風管７１と、この送風管７１に接続されていると共にケーシング２を貫通し、下流に向かうにつれて幅が拡大して断面が矩形に形成された接続ダクト７２と、この接続ダクト７２の先端に設けられ、幅方向に延びる細長の矩形状の開口を有する吹き出しノズル７３を含んで形成１１されている。第２送風部７は、ケーシング２の本体部２ａの天面に、幅方向に２つ配置されている。図１に示すように、この第２送風部７から矢印Ａ２で示すように吹き出した風は、矢印Ｂ２で示すように、揺動体３の上方を、この揺動体３と略平行に流れる。
【００４３】
この揺動選別機１には、前側偏心軸受ユニット４へ軽量物９４や塵が付着することを防止するための空気吹出部８が設けられている。空気吹出部８は、図示しない送風機と、この送風機から吹き出された空気を導く送風管８２と、この送風管８２に接続された空気分配管８１を有する。図８は、空気吹出部８の空気分配管８１を示す断面図であり、図９は、空気吹出部の空気分配管８１の一部と送風管８２の一部を示す平面図である。空気分配管８１は、前側偏心軸受ユニット４の後側に、この前側偏心軸受ユニット４の駆動軸１５と略平行に配置されている。すなわち、揺動体３の延在方向視において、空気分配管８１と、駆動軸１５とが、少なくとも一部が重なり合うように配置されている。空気分配管８１は、直線状の円形断面管で形成され、前側偏心軸受ユニット４に対向する面に、貫通孔で形成された複数の空気吹出口８３，８３，８３，・・・が、長手方向に互いに約１５０ｍｍの間隔をおいて形成されている。なお、空気吹出口８３は、空気分配管８１に設けられたノズルで形成されてもよい。送風機は、第２送風部７の送風機と兼用しており、第２送風部７の送風管７１から空気吹出部８の送風管８２が分岐している。なお、空気吹出部８の送風機は、第１送風部６の送風機と兼用してもよい。この空気吹出部８は、送風機から送風管８２を通して空気分配管８１に導かれた空気を、図１の矢印Ｊで示すように、空気吹出口から前側偏心軸受ユニット４に向かって吹き出す。こうして、前側偏心軸受ユニット４に、後側から前側に向かって空気を吹き付けることにより、揺動体３の上側から下側に導かれた軽量物９４や塵が、前側偏心軸受ユニット４に付着して前側偏心軸受ユニット４の動作に異常が生じる不都合を、効果的に防止できる。
【００４４】
フィルタ９は、ケーシング２内の前側部分に、このケーシング２の本体部２ａと突出部２ｂとの間に位置すると共に、ケーシング２の内部を横断するように配置されている。このフィルタ９は、複数のフラットバーを格子状に配列して形成されている。このフィルタ９は、ケーシング２内から排気口２５へ向かう空気を通過させる一方、この空気によって流れる軽量物９４を捕集し、排気口２５から軽量物９４が排出されることを防止する。フィルタ９は、揺動体３の前端と排気口２５とを結ぶ線を横切るように位置し、フィルタ９の少なくとも前側の部分が、捕集した軽量物９４が落下して軽量物排出口２４から排出されやすいように、前側が下方に傾斜して配置されているのが好ましい。なお、フィルタ９は、金網、パンチングメタル又はエキスパンドメタル等の網状のもののほか、複数のフラットバーを互いに平行に配列したスリット状のスクリーンでもよい。
【００４５】
上記構成の揺動選別機１は、次のように動作する。
【００４６】
まず、図示しない送風機が起動され、第１送風部６の吹き出しノズル６３から矢印Ａ１で示すように空気が吹き出されると共に、第２送風部７の吹き出しノズル７３から矢印Ａ２で示すように空気が吹き出される。これにより、揺動体３の表面近傍に、揺動体３と平行方向の矢印Ｂ１で示すような空気流が形成されると共に、ケーシング２の投入口２１の近傍に、揺動体３と平行方向の矢印Ａ２乃至Ｂ２で示すような空気流が形成される。また、モータ１１が起動され、減速装置１０とカップリング装置１２を介して駆動軸１５が駆動される。駆動軸１５が回転駆動されると、後側偏心軸受ユニット５を介して揺動体３に駆動力が伝達され、前側偏心軸受ユニット４が従動して、駆動軸１５方向視において円軌道を描くように、揺動体３が上下前後に揺動駆動される。複数の揺動体３は、各々の前側偏心軸受ユニット４及び後側偏心軸受ユニット５に設定された位相により、隣り合う揺動体３が１８０°の位相差を有するように駆動される。
【００４７】
続いて、図示しないコンベヤ等によって被選別物９１が搬送され、図１の矢印Ｅで示すように、投入口２１からケーシング２内に投入される。被選別物９１は、ビンやコンクリート片等の重量物９３と、プラスチックシートや紙等の軽量物９４と、砂や紙片等の小径物９２を含んで構成されている。投入口２１から投入された被選別物９１は、第２送風部７の吹き出しノズル７３からの空気流によって解された後、揺動体３に受け取られる。揺動駆動されている揺動体３上の被選別物９１のうち、小径物９２が、篩板３１の透孔３１ａを通って下方に落下し、図１の矢印Ｆで示すように、小径物排出口２２から排出される。また、揺動駆動されている揺動体３上の被選別物９１のうち、重量物９３が、篩板３１の表面を重力によって転動又は滑動して後方に移動し、揺動体３の後端縁から落下し、図１の矢印Ｇで示すように、重量物排出口２３から排出される。また、揺動駆動されている揺動体３上の被選別物９１のうち、軽量物９４が、送り部材３２による送り動作と、第１送風部６の吹き出しノズル６３からの空気流によって揺動体３上を前方に送られる。揺動体３の前方に送られた軽量物９４は、前端縁から落下し、図１の矢印Ｈで示すように、軽量物排出口２４から排出される。こうして、被選別物９１が、重量物９３と、軽量物９４と、小径物９２に選別される。選別された小径物９２、重量物９３及び軽量物９４は、それぞれに対応する再利用工程又は廃棄処理が行われる。
【００４８】
一方、揺動体３の表面近傍を流れた第１送風部６からの空気流は、矢印Ｃ１で示すように、ケーシング２の前端部２８の内側面に衝突し、ケーシング２内を本体部２ａから突出部２ｂへ向かって流れる。また、揺動体３の上方を流れた第２送風部７からの空気流は、矢印Ｃ２で示すように、ケーシング２の前端部２８の内側面に衝突し、ケーシング２内を本体部２ａから突出部２ｂへ向かって流れる。これらの空気流によって軽量物９４が流された場合は、空気流がフィルタ９を通過する際に軽量物９４がフィルタ９によって捕集される。フィルタ９で捕集された軽量物９４は、第１送風部６や第２送風部７による送風が停止したときに、フィルタ９から離れて落下し、軽量物排出口２４から排出される。フィルタ９を通過した空気は、矢印Ｄで示すように上方に流れ、排気口２５からケーシング２の外へ排出される。
【００４９】
また、第１送風部６及び第２送風部７からの空気流の一部が、揺動体３の上側から下側に流れるが、揺動体３を支持する前側偏心軸受ユニット４の後側から前側に向かって、空気吹出部８の空気吹出口８３，８３，８３，・・・から吹き出された空気が吹き付けられる。これにより、揺動体３の下側に流れる空気によって、前側偏心軸受ユニット４に軽量物９４や塵が送られて付着する不都合を、効果的に防止できる。その結果、軽量物９４や塵の付着に起因する前側偏心軸受ユニット４の異常の発生を防止でき、揺動選別機１の動作を安定にできる。
【００５０】
また、本実施形態の揺動選別機１は、ケーシング２の前端部２８の内側面が上向きに傾斜しているので、第１送風部６及び第２送風部７からの空気流が、ケーシング２の前端部２８の内側面によって上向きに変更される。これにより、空気流の方向に対してケーシング５０２の前端部の内側面が直角に延在する従来の揺動選別機５０１と比較して、ケーシング２内の空気流の乱れが効果的に低減される。その結果、乱れた空気流によって軽量物９４がケーシング内を後方に流され、重量物９３に混入して選別精度が低下する不都合を効果的に防止できる。また、ケーシング２内の空気流は、ケーシング２の前端部２８の内側面によって上向きに流れた後、揺動体３の前側部分の上方に位置する排気口２５から排出されるので、軽量物排出口２４からの空気の排出を効果的に抑制できる。したがって、この揺動選別機１で選別された軽量物９４を処理する後工程の作業領域に、被選別物の塵を含んだ風を送る不都合を効果的に防止できる。また、揺動体３の上側から軽量物排出口２４へ向かう空気の量を、効果的に低減できるので、前側偏心軸受ユニット４に流れる空気量を低減できて、前側偏心軸受ユニット４への軽量物９４や塵の付着を効果的に防止できる。
【００５１】
上記実施形態において、前側偏心軸受ユニット４への軽量物９４や塵の付着を防止するため、ケーシング２内の軽量物排出口２４の近傍に、邪魔板を設けてもよい。図１０は、他の実施形態の揺動選別機の一部を示す断面図である。この揺動選別機は、ケーシング２内の軽量物排出口２４の近傍に、邪魔板として、前側偏心軸受ユニット４の前側で幅方向に延在する仕切り板１０１が設けられている。また、この揺動選別機は、揺動体３の傾斜方向の上端の縁、すなわち、揺動体３の前端縁に、篩板３１に対して直角を成して下方に延在する垂下部材３６が取り付けられている。仕切り板１０１は、上端が、前側偏心軸受ユニット４と、揺動体３の垂下部材３６との間に位置すると共に、下端が軽量物排出口２４の開口の近傍に位置している。仕切り板１０１は、ケーシング２内を幅方向に架け渡された棒状の支持部材１０３によってケーシング２に固定されている。仕切り板１０１の下端には、ケーシング２の幅方向に分離して配列された複数のゴム板１０２が固定されており、このゴム板１０２が軽量物排出口２４の開口から下端が突出している。この揺動選別機は、揺動体３上を送られて前端縁から軽量物９４が落下する際、垂下部材３６によって、軽量物９４が前側偏心軸受ユニット４の側に流れることが防止される。更に、垂下部材３６よりも後側かつ下側に位置する仕切り板１０１及びゴム板１０２により、揺動体３の下側で前側偏心軸受ユニット４に向かって流れる空気流が更に低減される。その結果、軽量物９４や塵が、前側偏心軸受ユニット４へ付着する不都合を効果的に防止できる。なお、揺動体３の垂下部材３６と、前側偏心軸受ユニット４の前側の仕切り板１０１及びゴム板１０２は、いずれか一方のみ設けられてもよい。また、仕切り板１０１とゴム板１０２は、いずれか一方のみ設けられてもよい。ゴム板１０２のみをケーシング２内に配置する場合は、ケーシング２内を幅方向に架け渡された棒状の支持部材１０３に、ゴム板１０２を取り付けることができる。
【００５２】
上記実施形態において、ケーシング２は、前端部２８の外側面が下方に向けて傾斜した逆台形状断面を有する本体部２ａと、この本体部２ａの前側部分から上方に突出した突出部２ｂを有し、この突出部２ｂの上部が、上方に向かうにつれて平断面が縮小すると共に、縦断面において前方寄りに傾斜した逆漏斗形状を有したが、ケーシング２の形状は他の形状であってもよい。また、ケーシング２の前端部２８の内側面は、傾斜していなくてもよく、例えば、揺動体３の延在方向に対して直角に形成されてもよい。
【００５３】
また、上記実施形態では、揺動選別機１が建設系廃棄物や一般廃棄物等の混合廃棄物を選別する例を取り上げたが、これに限定されることなく、揺動選別機１は、例えば、シュレッダーダストの選別、容器包装プラスチックの選別、瓶や缶などの資源ゴミの選別、粗大ゴミの選別、埋め立て地の掘り起こし材の選別、穀類等の農産物の選別等、多種多様な用途に利用することができる。
【００５４】
また、上記実施形態では、隣接する揺動体３の位相差が１８０°に設定されたが、これに限定されることなく、例えば９０°又は１２０°など、揺動体３の数や寸法に応じて、被選別物の選別が効率的に実行可能であるように適宜選定される。更に、揺動体３は、透孔３１ａの直径ごとに数種類の取り替え可能なスクリーンとして用意され、被選別物の選別が効率的に実行可能であるように適宜選定されてもよい。
【００５５】
また、上記実施形態では、前側偏心軸受ユニット４に従動軸１４を連結する一方、後側偏心軸受ユニット５に駆動軸１５を連結したが、前側偏心軸受ユニット４に駆動軸１５を連結する一方、後側偏心軸受ユニット５に従動軸１４を連結してもよい。また、前側偏心軸受ユニット４に空気吹出部８で空気を吹き付けたが、後側偏心軸受ユニット５に空気吹出部８と同様の空気吹出部を設けて空気を吹き付けてもよい。この場合、後側偏心軸受ユニット５の前側に空気吹出部を配置し、空気吹出部から後側に向かって空気を吹き出して、後側偏心軸受ユニット５への塵等の付着を防止することができる。
【００５６】
また、上記実施形態では、複数の揺動体３を、位相差を付与して揺動駆動する駆動部として、揺動体３に設けた前側偏心軸受ユニット４及び後側偏心軸受ユニット５と、後側偏心軸受ユニット５に連結した駆動軸１５と、前側偏心軸受ユニット４に連結した従動軸１４と、駆動軸１５に連結したカップリング装置１２、減速装置１０及びモータ１１を備えたが、駆動部はクランク軸等を用いたものでもよい。駆動部の動力源や伝達装置等の形態は、適宜選択できる。
【符号の説明】
【００５７】
１  揺動選別機
２  ケーシング
２ａ  ケーシングの本体部
２ｂ  ケーシングの突出部
３  揺動体
４  前側偏心軸受ユニット
５  後側偏心軸受ユニット
６  第１送風部
７  第２送風部
８  空気吹出部
９  フィルタ
１０  減速装置
１１  モータ
１２  カップリング装置
１４  従動軸
１５  駆動軸
２２  小径物排出口
２３  重量物排出口
２４  軽量物排出口
２５  排気口
２８  ケーシングの前端部
３１  揺動体の篩板
３２  揺動体の送り部材
３３  揺動体の幅方向板
８１  空気分配管
８２  送風管
８３  空気吹出口
９１  被選別物
９２  小径物
９３  重量物
９４  軽量物
【図１】
0006289539.tif 000002
【図２】
0006289539.tif 000003
【図３】
0006289539.tif 000004
【図４】
0006289539.tif 000005
【図５】
0006289539.tif 000006
【図６】
0006289539.tif 000007
【図７】
0006289539.tif 000008
【図８】
0006289539.tif 000009
【図９】
0006289539.tif 000010
【図１０】
0006289539.tif 000011
【図１１】
0006289539.tif 000012